(57)【要約】      （修正有）【課題】必要に応じて付箋を無駄なく使用することができ、スケジュールの記入量の増加やスケジュールの変更にも柔軟に対応するスケジュール管理シートを提供する。【解決手段】スケジュール管理シート１０は、表面１０Ａに形成されたスケジュール欄１８Ａ〜１８Ｃと、裏面１０Ｂに形成されたスケジュール欄１８Ｄ〜１８Ｇにより、シートの表裏を使って一週間のスケジュールを管理するものである。各スケジュール欄は、実線２０Ａ，２０Ｂや破線２２Ａ，２２Ｂにより、１日が３時間，２時間，１時間半，１時間，３０分，１５分単位で区切られる。区切られた各枠の大きさに対応する複数種類の付箋４０Ａ〜４０Ｇを用意し、スケジュールの増加や変更時には、該当する枠に合う大きさの付箋を貼り、スケジュール記入や変更を行う。シートを、各種付箋が貼られた台紙と一緒にバインダに綴じることで、スケジュール管理帳として利用できる。【選択図】図１
0003215665.tif 000002
【実用新案登録請求の範囲】
【請求項１】
スケジュール管理シートであって、
シートの一方の主面に設けられた複数の枠と、
前記シートの他方の主面に設けられた複数の枠と、
を備えるとともに、
一枚のシートの一方の主面又は両方の主面の複数の枠によって構成されており、年，月，週又は日の少なくともいずれかを所定の単位で区切ってスケジュールを記入するためのスケジュール欄、
を有することを特徴とするスケジュール管理シート。
【請求項２】
前記シートが、少なくとも１ヶ所以上で折りたたみ可能であることを特徴とする請求項１記載のスケジュール管理シート。
【請求項３】
前記シートが、一辺側に複数の穴が設けられたバインダ用のシートであることを特徴とする請求項１又は２記載のスケジュール管理シート。
【請求項４】
前記シートの一方の主面又は他方の主面の少なくとも一方に、スケジュール以外の項目を記入する記入欄を設けたことを特徴とする請求項１〜３のいずれか一項に記載のスケジュール管理シート。
【請求項５】
前記シートは、用途に応じた着色が施されていることを特徴とする請求項１〜４のいずれか一項に記載のスケジュール管理シート。
【請求項６】
請求項１〜５のいずれか一項に記載のスケジュール管理シート用の付箋であって、
前記一方の主面又は他方の主面の枠の整数倍又は前記枠の整数分の一の寸法を有ることを特徴とするスケジュール管理シート用の付箋。
【請求項７】
前記付箋が、前記枠の整数倍の寸法であるときに、前記枠の寸法に合わせて分離可能なミシン目を有することを特徴とする請求項６記載のスケジュール管理シート用の付箋。
【請求項８】
前記付箋は、用途に応じた着色が施されていることを特徴とする請求項６又は７に記載のスケジュール管理シート用の付箋。
【請求項９】
請求項１〜５のいずれか一項に記載のスケジュール管理シートと、
請求項６〜８のいずれか一項に記載の付箋と、
該付箋が貼付された台紙と、
前記スケジュール管理シートと前記台紙を保持する保持体と、
を備えたことを特徴とするスケジュール管理帳。
【考案の詳細な説明】
【技術分野】
【０００１】
本考案は、スケジュール管理シート及び付箋，それを利用したスケジュール管理帳に関し、更に具体的には、スケジュール管理における利便性の向上に関するものである。
【背景技術】
【０００２】
手書きのスケジュール管理手段としては、手帳が一般的である。なかでも、システム手帳は、リフィルと呼ばれるシートを組み合わせて、ページ数の増減なども自在な構成となっている。しかしながら、記入する情報量が多くなったり、スケジュールの変更が生じたりすると、所定の記入欄だけではスペースが不十分となり、他の欄にはみ出して書いたり、付箋を併用したりする必要がある。
【０００３】
下記特許文献１のスケジュール管理用具には、少なくも開閉自在に連なる表側シートと裏側シートとを有する冊子型スケジュール管理用具であって、表側シート及び裏側シートを開くことで現れる２つのシート面のうちの一方にスケジュール表示エリアを、また、他方に、付箋保持エリアをそれぞれ形成し、上記スケジュール表示エリアは、任意の位置の方向に延びる時間帯表示セクションと、この時間帯表示セクションが表す各時間帯に隣接する付箋貼付用セクションとで形成し、上記付箋保持エリアには、或る長さの時間範囲を巾や面積などのサイズで表現する複数種の付箋組を貼付してあり、各付箋組は、同じ形状の複数葉の付箋を、その各一端を剥離可能に貼着して重ね合わせることが開示されている。
【先行技術文献】
【特許文献】
【０００４】
【特許文献１】特開２０１０−１５８８８２号公報
【考案の概要】
【考案が解決しようとする課題】
【０００５】
しかしながら、上述した特許文献１に記載の技術では、一枚のシートに必ず付箋保持エリアが設けられ、そこに付箋組が貼付してあるために、一枚のシートの厚さが増してしまう。また、必ずしもスケジュールの記入量や変更が多くないシートであっても、シート毎に付箋組が貼付されているため、無駄も大きい。
【０００６】
本考案は、以上のような点に着目したもので、必要に応じて付箋を無駄なく使用することができ、スケジュールの記入量の増加やスケジュールの変更にも柔軟に対応することにより、利便性が高いスケジュール管理シート及びその付箋，それを利用したスケジュール管理帳を提供することを、その目的とする。
【課題を解決するための手段】
【０００７】
本考案のスケジュール管理シートは、スケジュール管理シートであって、シートの一方の主面に設けられた複数の枠と、前記シートの他方の主面に設けられた複数の枠と、を備えるとともに、一枚のシートの一方の主面又は両方の主面の複数の枠によって構成されており、年，月，週又は日の少なくともいずれかを所定の単位で区切ってスケジュールを記入するためのスケジュール欄、を有することを特徴とする。
【０００８】
主要な形態の一つは、前記シートが、少なくとも１ヶ所以上で折りたたみ可能であることを特徴とする。他の形態の一つは、前記シートが、一辺側に複数の穴が設けられたバインダ用のシートであることを特徴とする。更に他の形態の一つは、前記シートの一方の主面又は他方の主面の少なくとも一方に、スケジュール以外の項目を記入する記入欄を設けたことを特徴とする。更に他の形態の一つは、前記シートは、用途に応じた着色が施されていることを特徴とする。
【０００９】
本考案の付箋は、前記いずれかに記載のスケジュール管理シート用の付箋であって、前記一方の主面又は他方の主面の枠の整数倍又は前記枠の整数分の一の寸法を有ることを特徴とする。主要な形態の一つは、前記付箋が、前記枠の整数倍の寸法であるときに、前記枠の寸法に合わせて分離可能なミシン目を有することを特徴とする。他の形態の一つは、前記付箋は、用途に応じた着色が施されていることを特徴とする。
【００１０】
本考案のスケジュール管理帳は、前記いずれかに記載のスケジュール管理シートと、前記いずれかに記載の付箋と、該付箋が貼付された台紙と、前記スケジュール管理シートと前記台紙を保持する保持体と、を備えたことを特徴とする。本考案の前記及び他の目的，特徴，利点は、以下の詳細な説明及び添付図面から明瞭になろう。
【考案の効果】
【００１１】
本考案のスケジュール管理シートによれば、シートの一方の主面に設けられた複数の枠と、前記シートの他方の主面に設けられた複数の枠と、を備えるとともに、一枚のシートの一方の主面又は両方の主面の複数の枠によって構成されており、年，月，週又は日の少なくともいずれかを所定の単位で区切ってスケジュールを記入するためのスケジュール欄、を有することとした。このため、所定の単位でのスケジュール管理が可能となる。また、複数種類のシートを組み合わせることで、年単位，月単位，週単位，日単位でのスケジュール管理も可能となる。
【００１２】
本考案のスケジュール管理シート用の付箋によれば、前記シートの一方の主面又は他方の主面の枠の整数倍又は前記枠の整数分の一の寸法を有することとした。このため、記入欄が足りない場合や修正する場合など、前記付箋を枠に合わせて貼って使用することで、スケジュールの追加や修正を容易に行うことができる。
【００１３】
本考案のスケジュール管理帳によれば、前記スケジュール管理シートと、前記付箋と、該付箋が貼付された台紙と、前記スケジュールシートと前記台紙を保持する保持体と、を備えることとした。このため、スケジュール管理シートと付箋を一緒に持ち歩くことができ、必要に応じて付箋を使用することで、スケジュール管理の利便性が向上する。
【図面の簡単な説明】
【００１４】
【図１】本考案の実施例１を示す図であり、(A)はスケジュール管理シートの表面を示す平面図，(B)はスケジュール管理シートの裏面を示す平面図，(C)はスケジュール管理シートに付箋を貼った様子の一例を示す平面図である。
【図２】前記実施例１を示す図であり、(A)は付箋用台紙を示す平面図，(B)は付箋の他の例を示す図，(C)は本実施例のスケジュール管理帳の一例を示す外観斜視図である。
【図３】本考案の実施例２のスケジュール管理シートを示す図であり、(A)は表面を示す平面図，(B)は裏面を示す平面図である。
【図４】本考案の実施例３のスケジュール管理シートを示す図であり、(A)は表面を示す平面図，(B)は裏面を示す平面図である。
【図５】本考案の実施例４のスケジュール管理シートを示す図であり、(A)は表面を示す平面図，(B)は裏面を示す平面図である。
【図６】本考案の実施例５のスケジュール管理シートを示す図であり、(A)は表面を示す平面図，(B)は裏面を示す平面図である。
【図７】本考案の実施例６のスケジュール管理シートを示す図であり、(A)は表面を示す平面図，(B)は裏面を示す平面図である。
【考案を実施するための形態】
【００１５】
以下、本考案を実施するための最良の形態を、実施例に基づいて詳細に説明する。
【実施例１】
【００１６】
最初に、図１及び図２を参照しながら、本考案の実施例１を説明する。図１は、実施例を示す図であり、(A)はスケジュール管理シートの表面を示す平面図，(B)はスケジュール管理シートの裏面を示す平面図，(C)はスケジュール管理シートに付箋を貼った様子の一例を示す平面図である。図２(A)は、本実施例の付箋用台紙を示す平面図，図２(B)は付箋の他の例を示す図，図２(C)は本実施例のスケジュール管理帳の一例を示す外観斜視図である。
【００１７】
図１(A)及び(B)に示すように、本実施例のスケジュール管理シート（以下「シート」とする）１０は、一枚の長方形のシートから構成されており、該シートを三つ折りにするための２つの折り目１６Ａ，１６Ｂが縦方向に形成されている。また、シート１０の一方の短辺の縁部１２Ａ側には、前記シート１０を後述するバインダ６２（図２(C)参照）のリング６４に通すための複数の穴１４が形成されている。
【００１８】
前記シート１０の一方の主面（図示の例では、表面１０Ａ）には、複数のスケジュール欄１８Ａ〜１８Ｃが設けられている。これらスケジュール欄１８Ａ〜１８Ｃは、前記折り目１６Ａ，１６Ｂにより曜日ごとに仕切られている。例えば、スケジュール欄１８Ａは、月曜日用，スケジュール欄１８Ｂは火曜日用，スケジュール欄１８Ｃは水曜日用という具合である。また、前記シート１０の他方の主面（図示の例では、裏面１０Ｂ）にも、複数のスケジュール欄１８Ｄ〜１８Ｇが設けられている。前記スケジュール欄１８Ｄとスケジュール欄１８Ｅは、前記折り目１６Ｂにより仕切られ、スケジュール欄１８Ｅとスケジュール欄１８Ｆが前記折り目１６Ａにより仕切られている。なおスケジュール欄１８Ｆ及び１８Ｇの横幅は、他のスケジュール欄１８Ａ〜１８の横幅の約半分に形成されている。前記スケジュール欄１８Ｄは木曜日用，スケジュール欄１８Ｅは金曜日用，スケジュール欄１８Ｆは土曜日用，スケジュール欄１８Ｇは日曜日用である。これらスケジュール欄１８Ａ〜１８Ｆはいずれも、０時始まり２４時終わりで一日のスケジュールを把握するものである。
【００１９】
前記スケジュール欄１８Ａ〜１８Ｇは、一日を所定の時間で区切る複数の枠により構成される。スケジュール欄１８Ａを例に挙げて説明すると、横の実線２０Ａにより３時間ごとに区切られている。例えば、図１(A)に実線で囲んだ枠３０Ａは３時間分の枠である。前記スケジュール欄１８Ａは、また、縦の実線２０Ｂにより前記３時間分の枠を半分に区切っている。つまり、図１(C)に示すように、縦方向に３時間分の枠を横に半分に区切ることで、時間としては１時間半分の枠３０Ｅが形成されている。
【００２０】
更に、前記スケジュール欄１８Ａは、横方向の破線２２Ｂにより、１時間ごとに仕切られている。例えば、枠３０Ｂは、２時間分の枠であり、枠３０Ｃは、１時間分の枠である。前記スケジュール欄１８Ａは、更に、縦方向の破線２２Ａにより、仕切りが設けられる。これら破線２２Ａ，２２Ｂにより、図１(C)に示すように、例えば、３０分の枠３０Ｆや、１５分の枠３０Ｇが形成される。
【００２１】
本実施例では、前記シート１０の表面１０Ａと裏面１０Ｂのスケジュール欄１８Ａ〜１８Ｇにより一週間を曜日ごとに区切っており、表裏を合わせて一週間分のスケジュールを記入することができる。また、各スケジュール欄１８Ａ〜１８Ｇは、実線２０Ａ，２０Ｂや、破線２２Ａ，２２Ｂにより、最小で１５分単位の枠に分割されている。また、前記シート１０の表面１０Ａの上部右側には、年月日を記入するための記入部３２が設けられている。前記記入部３２には、手書きで年月日の数字を記入してもよいが、ナンバリングのハンコにより印字してもよい。
【００２２】
前記シート１０のスケジュール欄１８Ａ〜１８Ｇには、ユーザが任意に予定などを書き込むことができるが、記載する量が不足したり、記載内容を修正したりする場合には、図１(C)に示すように、枠の大きさに合った付箋を併用して、記載量の不足を補ったり、内容の修正を行ったりする。例えば、図１(C)に示すように、３時間分の枠３０Ａには、当該枠３０Ａと同形状かつ同寸法の付箋４０Ａを貼り付け、２時間分の枠３０Ｂには、当該枠３０Ｂと同形状かつ同寸法の付箋４０Ｂを貼り付け、１時間分の枠３０Ｃには、当該枠３０Ｃと同形状かつ同寸法の付箋４０Ｃを貼り付けるという具合である。
【００２３】
また、６時間分の枠３０Ｄには、当該枠３０Ｄと同形状かつ同寸法の付箋４０Ｄを貼り付け、１時間半分の枠３０Ｅには、当該枠３０Ｅと同形状かつ同寸法の付箋４０Ｅを貼り付ける。３０分用の枠３０Ｆには、当該枠３０Ｆと同形状かつ同寸法の付箋４０Ｆを貼り付け、１５分用の枠３０Ｇには、当該枠３０Ｇと同形状かつ同寸法の付箋４０Ｇを貼り付ける。なお、前記付箋４０Ｃは、１時間の分の枠であるが、他の使い途として、３時間分の枠の上部に貼っておき、予定が変更になったときに、変更後の位置に貼り直すなど、変更に柔軟に対応できるような使い方をしてもよい。
【００２４】
スケジュール欄１８Ａは、実線２０Ａ，２０Ｂ及び破線２２Ａ，２２Ｂで形成される複数の枠により構成されているが、何時間あるいは何分を一つの枠と捉えて使用するかは、ユーザ次第である。また、付箋の大きさも、どの枠にでも適用できるように複数種類設けておくことが好ましい。更に、３時間分の枠用の付箋４０Ａを基準にした場合、２時間分や１時間分の付箋４０Ｂ，４０Ｃは、それぞれ付箋４０Ａの３分の２及び３分の１の大きさであるから、付箋４０Ａを１時間用に分離できると都合がよい。また、６時間分の枠用の付箋４０Ｄは、前記付箋４０Ａの２倍の大きさであるから、例えば、３時間用に分離できると都合がよい。
【００２５】
図２(A)には、本実施例のスケジュール管理帳に利用される付箋用の台紙５０が示されている。台紙５０は、前記シート１０を三つ折りにした状態とほぼ同じ大きさであり、一方の長辺側の縁部５２には、前記バインダ６２のリング６４に通すための複数の穴５４が形成されている。前記台紙５０の一方の主面には、付箋４０Ａ〜４０Ｈがそれぞれ複数枚重なって貼付されている。
【００２６】
図２(B)には、付箋４０Ａが示されている。付箋４０Ａの裏面には、貼着及び剥離可能な粘着剤４２が設けられている。図示の例では、前記付箋４０Ａには、横に２段のミシン目４４Ａ，４４Ｂが設けられている。例えば、ミシン目４４Ｂに沿って付箋４０Ａを分離すると２時間分の付箋４０Ｂと１時間分の付箋４０Ｃとして使用することができる。また、付箋４０Ｂをミシン目４４Ａに沿って分離すると、１時間分の付箋４０Ｃとして使用することができる。このほかにも、図２(A)に示すように、６時間の付箋４０Ｄにミシン目４４Ｃを設けて、分離して３時間分の付箋４０Ａとして使用してもよい。また、縦に６時間分の長さ（横幅が半分のため実質３時間分の大きさ）の付箋４０Ｈにミシン目４４Ｄを設け、分離して前記付箋４０Ｅとして使用してもよい。
【００２７】
以上のような構成のシート１０と台紙５０は、バインダ６２に綴じてスケジュール管理帳６０として使用される。例えば、図２(C)に示す例では、シート１０Ａ，１０Ｂ，・・・と台紙５０を一緒にバインダ６２に綴じる構成となっており、スケジュール欄１８Ａ〜１８Ｇに記入することが増えた場合や修正する場合に、該当する時間帯に対応する大きさの付箋を前記台紙５０からはがし、シート１０Ａ，１０Ｂの枠に貼ればよい。なお、バインダ６２に綴じるシートの量は、ユーザの使い勝手によって任意に変更可能であるが、１週間分程度のシートのみを綴じておけば、仮にスケジュール管理帳６０を紛失した場合でも、通常の手帳のように、１年間分のスケジュールが分からなくなるという事態を避けることができる。
【００２８】
このように、実施例１によれば、次のような効果がある。
(1)スケジュール管理シート１０は、表面１０Ａに設けられた複数の枠と、裏面１０Ｂに設けられた複数の枠とによって、シートの表裏を合わせて１週間を曜日ごとに１日ずつ区切った、０時始まり２４時終わりのスケジュール欄１８Ａ〜１８Ｇを有する。前記スケジュール欄１８Ａ〜１８Ｇは、さらに実線２０Ａ，２０Ｂや破線２２Ａ，２２Ｂにより、３時間，２時間，１時間半，１時間，３０分，１５分という単位の枠に仕切られるので、１日のスケジュールを１５分単位で管理することができる。
【００２９】
(2)前記シート１０の枠３０Ａ〜３０Ｇの大きさの整数倍又は前記枠の整数分の一の寸法の多種類の付箋４０Ａ〜４０Ｈを用意し、記入欄が足りない場合や修正が必要な場合に、必要な枠の大きさに応じた付箋を貼ることで、スケジュールの追加や修正が容易となる。前記付箋４０Ａ〜４０Ｈは、何時間用は何色、というように、時間ごとに色分けしてもよいし、記入する内容の重要度や用事に応じて色分けしたものを用いてもよい。色分けすることにより、瞬時に見分けがつきやすい。
【００３０】
(3)スケジュール管理シート１０Ａ，１０Ｂ，・・・と、付箋用の台紙５０を一緒にバインダ６２に綴じてスケジュール管理帳６０とすることで、スケジュール管理シートと付箋を一緒に持ち歩くことができる。そして、必要に応じて付箋４０Ａ〜４０Ｈを使用することで、スケジュール管理の利便性が向上する。なお、シート１０Ａ，１０Ｂ自体を月や季節ごとに色分けしてもよい。
【実施例２】
【００３１】
次に、図３を参照しながら本考案の実施例２を説明する。なお、上述した実施例１と同一ないし対応する構成要素には同一の符号を用いることとする（以下の実施例についても同様）。図３(A)は本実施例のスケジュール管理シートの表面を示す平面図，図３(B)はスケジュール管理シートの裏面を示す平面図である。上述した実施例１は、シート１０の表裏で一週間のスケジュールを管理するものであるが、本実施例は、シートの一面のみで一週間のスケジュールを管理する構成となっている。
【００３２】
図３(A)に示すように、本実施例のスケジュール管理シート７０は、表面１０Ａ側に、月曜日から金曜日までのスケジュール欄７２Ａ〜７２Ｅと、土日兼用のスケジュール欄７２Ｆが設けられている。前記表面１０Ａの上部右側には、年月日を記入するための記入部７４が設けられている。本実施例では、裏面１０Ｂも基本的に同様の構成となっている。前記スケジュール欄７２Ａ〜７２Ｅは、横の実線２０Ａにより、一日が４時間ごとに６分割されている。一方、土日用のスケジュール欄７２Ｆは、実線２０Ａにより更に半分に仕切られており、例えば、上段が土曜日のスケジュール，下段が日曜日のスケジュールという具合に使用される。
【００３３】
前記スケジュール欄７２Ａ〜７２Ｆには、例えば、平日の４時間分に相当する枠７６Ａと同寸法の付箋７８Ａや、その倍の８時間相当分の枠に貼る付箋７８Ｃが必要に応じて貼られる。また、前記付箋７８Ａと同寸法の付箋７８Ｄを、土日の４時間分の枠を覆うように貼ってもよいし、土日のいずれか一方の４時間分の枠７６Ｂと同寸法の付箋７８Ｂを使用してもよい。本実施例の基本的な作用・効果は、上述した実施例１と同様である。
【実施例３】
【００３４】
次に、図４を参照しながら本考案の実施例３を説明する。図４(A)は本実施例のスケジュール管理シートの表面を示す平面図，図４(B)はスケジュール管理シートの裏面を示す平面図である。本実施例は、シートの一面で一ヶ月のスケジュールを管理する構成となっている。スケジュール管理シート８０（以下「シート」）の表面１０Ａは、折り目１６Ａ，１６Ｂにより、スケジュール欄８２Ａ〜８２Ｃに仕切られている。本実施例では、スケジュール欄８２Ａは、月の上旬（１日〜１０日），スケジュール欄８２Ｂは月の中旬（１１日〜２０日），スケジュール欄８２Ｃは、月の下旬（２１日〜末日）のスケジュールを管理するものである。また、表面１０Ａの上部右側には、年と月を記入するための記入部８４が設けられている。
【００３５】
前記スケジュール欄８２Ａは、横の実線２０Ａにより一日ごとに区切られ、縦の実線２０Ｂにより一日が半分に区切られている。更に、この半日分が、縦の破線２２Ｂと横の破線２２Ａにより、４分割されている。すなわち、スケジュール欄８２Ａの枠の最小単位は、３時間である。本実施例では、裏面１０Ｂも基本的に同様の構成となっている。前記スケジュール欄８２Ａには、例えば、一日に相当する枠８６Ａに、付箋８８Ａを貼ることができ、二日に相当する枠８６Ｂに付箋８８Ｂを貼ることができる。また、半日分の枠に相当する枠８６Ｃに付箋８８Ｃを貼ることができる。本実施例の基本的な作用・効果は、上述した実施例１と同様である。
【実施例４】
【００３６】
次に、図５を参照しながら本考案の実施例４を説明する。図５(A)は本実施例のスケジュール管理シートの表面を示す平面図，図５(B)はスケジュール管理シートの裏面を示す平面図である。本実施例は、シートの一面で三ヶ月のスケジュール管理をする構成となっている。スケジュール管理シート９０（以下「シート」）の表面１０Ａは、折り目１６Ａ，１６Ｂにより、スケジュール欄９２Ａ〜９２Ｃに区切られている。本実施例では、スケジュール欄９２Ａ〜９２Ｃは、それぞれが一ヶ月分のスケジュール欄となっている。また、各スケジュール欄９２Ａ〜９２Ｃの上部には、年と月を記入するための記入部９４がそれぞれ設けられている。
【００３７】
これらスケジュール欄９２Ａ〜９２Ｃは、横の実線２０Ａによって、一ヶ月が、上旬，中旬，下旬に区切られている。裏面１０Ｂの構成も同様となっている。本実施例では、旬ごとの大きさの枠９６に、付箋９８を貼って使用することができる。むろん、付箋９８の大きさも一例であり、１日〜数日に相当する幅の付箋を用意し、必要に応じて使用するようにしてもよい。本実施例のシートは、月ごとの大まかなスケジュール管理に適している。その他の基本的な作用・効果は、上述した実施例１と同様である。
【実施例５】
【００３８】
次に、図６を参照しながら本考案の実施例５を説明する。図６(A)は本実施例のスケジュール管理シートの表面を示す平面図，図６(B)は本実施例のスケジュール管理用シートの裏面を示す平面図である。本実施例は、シートの表裏を用いて一日のスケジュールを管理するものである。図示のスケジュール管理シート（以下「シート」）１００の表面１０Ａは、折り目１６Ａ，１６Ｂにより、スケジュール欄１０２と、記入欄１０６及び１０８に区切られている。表面１０Ａの上部右側には、年月日を記入するための記入部１０４が設けられている。
【００３９】
一方、シート１００の裏面１０Ｂは、折り目１６Ａ，１６Ｂにより、スケジュール欄１０２Ｂ〜１０２Ｄに区切られている。本実施例のシート１００は、一日を６時間ごとに管理するスケジュール欄１０２Ａ〜１０２Ｄとともに、スケジュール以外の事項（例えば、記録や懸案事項）を記入する記入欄１０６，１０８を設けたものである。図示の例では、表面１０Ａのスケジュール欄１０２Ａは、早朝（午前０時〜６時まで）、裏面１０Ｂのスケジュール欄１０２Ｂが早朝（午前６時〜午後１２時まで）、スケジュール欄１０２Ｃが午後（午後１２時〜１８時まで）、スケジュール欄１０２Ｄが夜間（１８時〜２４時まで）となっている。
【００４０】
スケジュール欄１０２Ａを例に挙げてみると、横の実線２０Ａにより、１時間ごとに区切られており、更に横の破線２２Ｂにより１５分ごとに区切られている。それを更に縦の２本の実線２０Ｂと縦の２本の破線２２Ｂにより５等分することにより、最小の枠が３分単位となる。スケジュール欄１０２Ａは、一時間の枠１１０Ａが６個集まったものと考えてもよいし、３分の枠１１０Ｂが１２０個集まったものと考えてもよい。最小の枠を５分単位としてもよい。このようなシート１００に貼る付箋は、例えば、図６(B)に示すように３時間分の枠を覆う付箋１１２Ａを用いてもよいし、３０分の枠を覆う付箋１１２Ｂを用いてもよい。あるいは、１５分の枠を覆う付箋１１２Ｃを用いてもよい。本実施例の基本的な作用・効果は上述した実施例１と同様である。シート１００を、月曜日〜日曜日まで７枚用意し、これを１セットとしてもよい。その場合、シート１００の左端に曜日を表示するようにしてもよい。また、表面を省略し、図６(B)の裏面のみで使用してもよい。
【実施例６】
【００４１】
次に、図７を参照しながら本考案の実施例６を説明する。図７(A)は本実施例のスケジュール管理シートの表面を示す平面図，図７(B)はスケジュール管理シートの裏面を示す平面図である。本実施例は、シートの一面で一週間のスケジュールを管理する構成となっている。前記スケジュール管理シート（以下「シート」１２０）の表面１０Ａは、折り目１６Ａ，１６Ｂによりスケジュール欄１２２Ａ〜１２２Ｃに区切られており、スケジュール欄１２２Ａ〜１２２Ｃは、それぞれ予定，課題，実績評価を記入する部分となっている。そして、各スケジュール欄１２２Ａ〜１２２Ｃが、横の実線２０Ａにより、月曜日から日曜日までに区切られている。図示の例では、土日の欄は、月曜から金曜までの欄の半分の幅に設定されている。また、表面１０Ａの上部右側には、年月日を記入するための記入部１２４が設けられている。裏面１０Ｂの構成も同様となっている。
【００４２】
本実施例では、平日の一日の大きさの枠１２６Ａに、付箋１２８Ａを貼って使用することができ、土日の一日の大きさの枠１２６Ｂに付箋１２８Ｂを貼って使用することができる。むろん、前記付箋１２８Ａを、土日の双方の枠を覆うように貼ってもよい。本実施例の基本的な作用・効果は、上述した実施例１と同様である。なお、本実施例では、予定，課題，実績評価を記入することとしたが、これも一例であり、予定（計画），実行，評価の欄とすることで、ベンチマーク分析に用いることも可能である。
【００４３】
なお、本考案は、上述した実施例に限定されるものではなく、本考案の要旨を逸脱しない範囲内において種々変更を加え得ることができる。例えば、以下のものも含まれる。
(1)上述した実施例で示した形状，寸法は一例であり、必要に応じて適宜変更してよい。
(2)前記実施例では、シートを３つ折りにする構造としたがこれも一例であり、２つ折としてもよいし、４つ折以上としてもよい。また、必ずしも折りたたまない構造としてもよい。
(3)前記実施例で示したスケジュール欄の区切り方も一例であり、シートの表面と裏面で違う区切り方をしてもよい。また、予定が多いと予想される時間帯，曜日，月等に応じて、各スケジュール欄を構成する枠の幅や長さの区切り方を適宜変更してよい。
【００４４】
(4)前記実施例１では、シート１０Ａ，１０Ｂ，・・・と台紙５０をバインダ６２に綴じることとしたが、これも一例であり、必ずしもバインダ式でなくてもよく、同様の効果を奏する範囲内で適宜設計変更可能である。
(5)前記実施例１〜６に示したシートを組み合わせて使用するようにしてもよい。その際、各シートに異なる着色を施すようにしてもよい。例えば、白→青→緑→黄→オレンジ→ピンクの順で、シートで管理する時間（年，月，曜日，時間を含む）の単位が長くなくなるようにしてもよい。
(6)前記実施例１で示した付箋の分離の仕方も一例であり、他の位置で分離するようにしてもよいし、必ずしも分離しない構造であってもよい。
【００４５】
(7)前記実施例１で示したスケジュール管理帳６０は、例えば、日本のＡ５サイズに近いバイブルサイズなどが持ち運びに好適であるが、これも一例であり、サイズは必要に応じて適宜変更してよい。
(8)複数のシートをバインダ６２に綴じて使用する際に、シートの端にインデックスを貼り、目的のシートがすぐに見分けがつくようにしてもよい。
(9)前記実施例では、付箋を併用することとしたが、これも一例であり、付箋は必要に応じて用いればよく、手書きでスケジュールを書き込み、変更するときは二重線で消してもよい。
(10)前記実施例では、スケジュール欄の書き足しや変更のために付箋を用いることしたが、これも一例であり、未確定の予定は付箋に書いて該当する枠に貼っておき、予定が確定したら、シート本体に書き写すようにしてもよい。
【産業上の利用可能性】
【００４６】
本考案によれば、シートの一方の主面に複数の枠を設け、シートの他方の主面に複数の枠を設け、一枚のシートの一方の主面又は両方の主面の複数の枠によって、年，月，週又は日の少なくともいずれかを所定の単位で区切ってスケジュールを記入するスケジュール欄を構成した。このため、所定の単位（年単位，月単位，周単位，日単位，時間単位）でのスケジュール管理が可能となるため、スケジュール管理シートの用途に適用できる。
【００４７】
また、前記スケジュール管理シートの一方の主面又は他方の主面の枠の整数倍又は前記枠の整数分の一の寸法を有する付箋を用いて、記入欄が足りない場合や修正する場合など、前記付箋を枠に貼って使用することで、スケジュールの追加や修正を容易に行うことができる。このため、前記スケジュール管理シートと前記付箋が貼付された台紙を保持体に綴じることで、スケジュール管理帳の用途に適用できる。
【符号の説明】
【００４８】
１０：スケジュール管理シート
１０Ａ：表面
１０Ｂ：裏面
１２Ａ，１２Ｂ：縁部
１４：穴
１６Ａ，１６Ｂ：折り目
１８Ａ〜１８Ｇ：スケジュール欄
２０Ａ，２０Ｂ：実線
２２Ａ，２２Ｂ：破線
３０Ａ〜３０Ｇ：枠
３２：記入部
４０Ａ〜４０Ｈ：付箋
４２：粘着剤
４４Ａ〜４４Ｄ：ミシン目
５０：台紙
５２：縁部
５４：穴
６０：スケジュール管理帳
６２：バインダ
６４：リング
７０：スケジュール管理シート
７２Ａ〜７２Ｆ：スケジュール欄
７４：記入部
７６Ａ，７６Ｂ：枠
７８Ａ〜７８Ｄ：付箋
８０：スケジュール管理シート
８２Ａ〜８２Ｃ：スケジュール欄
８４：記入部
８６Ａ〜８６Ｃ：枠
８８Ａ〜８８Ｃ：付箋
９０：スケジュール管理シート
９２Ａ〜９２Ｃ：スケジュール欄
９４Ａ：記入部
９６：枠
９８：付箋
１００：スケジュール管理シート
１０２Ａ〜１０２Ｄ：スケジュール欄
１０４：記入部
１０６，１０８：記入欄
１１０Ａ，１１０Ｂ：枠
１１２Ａ〜１１２Ｃ：付箋
１２０：スケジュール管理シート
１２２Ａ〜１２２Ｃ：スケジュール欄
１２４：記入部
１２６Ａ，１２６Ｂ：枠
１２８Ａ，１２８Ｂ：付箋
【図１】
0003215665.tif 000003
【図２】
0003215665.tif 000004
【図３】
0003215665.tif 000005
【図４】
0003215665.tif 000006
【図５】
0003215665.tif 000007
【図６】
0003215665.tif 000008
【図７】
0003215665.tif 000009